(57)【要約】      （修正有）【課題】製品点数を少なくし、簡単な作業により、断水回数を半減、断水範囲の低減、もしくは断水回避を可能とする不断水ＳＴ短管及び配水管の布設工法を提供する。【解決手段】配水管の布設工事に使用する不断水ＳＴ短管１であり、管体２の両端に形成した配管接続部３，４と、管体２内を流れる流体を遮断する仕切弁を取り付ける仕切弁着脱部５と、仮配管への分岐を可能にする止水弁を取り付ける止水弁着脱部６と、を備える。一方の配管接続部は、管体内径より大きな内径であり、他方の配管接続部は、管体内径と同形の内径である。また、両端の配管接続部は、管体内径と同形の内径である。また、両端の配管接続部は、管体内径より大きな内径である。【選択図】図１
2013108250.tif 000002
【特許請求の範囲】
【請求項１】
配水管の布設工事に使用する不断水ＳＴ短管であり、
管体の両端に形成した配管接続部と、
前記管体内を流れる流体を遮断する仕切弁を取り付ける仕切弁着脱部と、
仮配管への分岐を可能にする止水弁を取り付ける止水弁着脱部と、
を備えることを特徴とする不断水ＳＴ短管。
【請求項２】
前記一方の配管接続部は、管体内径より大きな内径であり、
前記他方の配管接続部は、管体内径と同形の内径であることを特徴とする請求項１に記載の不断水ＳＴ短管。
【請求項３】
前記両端の配管接続部は、管体内径と同形の内径であることを特徴とする請求項１に記載の不断水ＳＴ短管。
【請求項４】
前記両端の配管接続部は、管体内径より大きな内径であることを特徴とする請求項１に記載の不断水ＳＴ短管。
【請求項５】
隣接する前工区の配水管の終点部に請求項１乃至請求項４のいずれか１項に記載の不断水ＳＴ短管を設置しておき次期工事で、
反対側の既設管連絡部の上流側に仮設止水栓と下流側に仮設割Ｔ字管を設置し、
前記不断水ＳＴ短管の仕切弁着脱部に仕切弁を取り付け、止水弁着脱部に止水弁を取り付け、
布設替に用いる仮配管を、前記不断水ＳＴ短管の止水弁と、前記仮設割Ｔ字管との間に接続して連通し、不断水状態とし、
前記不断水ＳＴ短管の仕切弁を閉弁し、前記仮設止水栓を閉弁し、
前記不断水ＳＴ短管の止水弁を開弁し、前記仮設割Ｔ字管を開弁した不断水連絡状態で、
前記不断水ＳＴ短管と前記仮設止水栓間の老朽した管を更新することを特徴とする配水管の布設工法。
【請求項６】
隣接する前工区の配水管の終点部に請求項１乃至請求項４のいずれか１項に記載の第１の不断水ＳＴ短管を断水状態で設置し、
反対側の既設管連絡部に請求項１乃至請求項４のいずれか１項に記載の第２の不断水ＳＴ短管を断水状態で設置し、
前記第１の不断水ＳＴ短管及び前記第２の不断水ＳＴ短管の仕切弁着脱部に仕切弁を取り付け、止水弁着脱部に止水弁を取り付け、
布設替に用いる仮配管を、前記第１の不断水ＳＴ短管の止水弁と、前記第２の不断水ＳＴ短管の止水弁と間に接続して連通し、不断水状態とし、
前記第１の不断水ＳＴ短管の仕切弁を閉弁し、前記第２の不断水ＳＴ短管の仕切弁を閉弁し、
前記第１の不断水ＳＴ短管の止水弁を開弁し、前記第２の不断水ＳＴ短管の止水弁を開弁して不断水連絡状態で、
前記第１の不断水ＳＴ短管と前記第２の不断水ＳＴ短管間の老朽した管を更新することを特徴とする配水管の布設工法。
【請求項７】
漏水状態の配水管の上流側に設置した請求項１乃至請求項４のいずれか１項に記載の不断水ＳＴ短管を用い、
前記不断水ＳＴ短管の仕切弁着脱部に仕切弁を取り付け、
前記仕切弁を閉弁して断水し、
前記漏水の配水管の補修または交換することを特徴とする配水管の布設工法。
【請求項８】
新規に配管を延長する配水管の既設管連絡終点部に請求項１乃至請求項４のいずれか１項に記載の不断水ＳＴ短管を設置しておき次期工事で、
前記不断水ＳＴ短管の仕切弁着脱部に仕切弁を取り付け、
前記仕切弁を閉弁し、
新規布設管と既設管連絡を前記不断水ＳＴ短管により不断水状態で施工とすることを特徴とする配水管の布設工法。
【発明の詳細な説明】
【技術分野】
【０００１】
この発明は、不断水工法により配水管の接続を可能とする不断水ＳＴ短管及び配水管の布設工法に関する。
【背景技術】
【０００２】
配水管の布設工事としては、老朽した管を更新する布設替工事、下水道工事等による配水管移設工事、既設管を延長する新規配水管などがあり、既設管との接続は断水による連絡工事となる。この断水連絡は、断水対象の水道水の利用者への説明・断水時間調整、また断水規模や水道水の利用者の事情に応じて影響の少ない夜間工事、また水道局立会いでのバルブ操作などによる断水作業、充水作業、洗浄作業の様々な業務が発生し、断水による水道サービスの低下となる。
【０００３】
このように、例えば、古くなった既設の水道管を更新するに際しては、水道水の利用者に対する利便性を考慮し、管路を上流側で止水することなく不断水の状態を維持したまま施工することが望まれる。
【０００４】
そこで、不断水工法を利用して既設の水道管の途中に分岐管を接続し、その分岐管により形成したバイパスで通水状態を保持するようにすれば、断水せずとも水道管の更新を行うことができ、かかる不断水工法は、例えば特許文献１などに記載されている。
【先行技術文献】
【特許文献】
【０００５】
【特許文献１】特開２００２−１５４００４号公報
【発明の概要】
【発明が解決しようとする課題】
【０００６】
このものでは、既設の水道管を更新する手順は、まず、管路中の所定区間を対象とし、その両端に割Ｔ字管を装着して各々に仕切弁を接続し、次に、各仕切弁に穿孔装置を接続し、それぞれの割Ｔ字管で囲まれた管路部分を穿孔した後、穿孔装置を仕切弁から取り外す。そして、分岐管を接続してバイパスを形成すると共に、仕切弁を開状態とし、弁体を内蔵したストッパーを本管に設置して閉状態と、不断水の状態を維持したまま、所定区間にある既設の水道管を新設管路に更新しており、多数の割Ｔ字管、仕切弁が必要であり、しかも装着に手数を要するなどの問題があった。
【０００７】
この発明は、かかる実情に鑑みてなされたもので、製品点数を少なくし、簡単な作業により、断水回数を半減、断水範囲の低減、もしくは断水回避を可能とする不断水ＳＴ短管及び配水管の布設工法を提供することを目的とする。
【課題を解決するための手段】
【０００８】
前記課題を解決し、かつ目的を達成するために、この発明は、以下のように構成した。
【０００９】
請求項１に記載の発明は、配水管の布設工事に使用する不断水ＳＴ短管であり、管体の両端に形成した配管接続部と、前記管体内を流れる流体を遮断する仕切弁を取り付ける仕切弁着脱部と、仮配管への分岐を可能にする止水弁を取り付ける止水弁着脱部と、を備えることを特徴とする不断水ＳＴ短管である。
【００１０】
請求項２に記載の発明は、前記一方の配管接続部は、管体内径より大きな内径であり、前記他方の配管接続部は、管体内径と同形の内径であることを特徴とする請求項１に記載の不断水ＳＴ短管である。
【００１１】
請求項３に記載の発明は、前記両端の配管接続部は、管体内径と同形の内径であることを特徴とする請求項１に記載の不断水ＳＴ短管である。
【００１２】
請求項４に記載の発明は、前記両端の配管接続部は、管体内径より大きな内径であることを特徴とする請求項１に記載の不断水ＳＴ短管である。
【００１３】
請求項５に記載の発明は、隣接する前工区の配水管の終点部に請求項１乃至請求項４のいずれか１項に記載の不断水ＳＴ短管を設置しておき次期工事で、反対側の既設管連絡部の上流側に仮設止水栓と下流側に仮設割Ｔ字管を設置し、前記不断水ＳＴ短管の仕切弁着脱部に仕切弁を取り付け、止水弁着脱部に止水弁を取り付け、布設替に用いる仮配管を、前記不断水ＳＴ短管の止水弁と、前記仮設割Ｔ字管との間に接続して連通し、不断水状態とし、前記不断水ＳＴ短管の仕切弁を閉弁し、前記仮設止水栓を閉弁し、前記不断水ＳＴ短管の止水弁を開弁し、前記仮設割Ｔ字管を開弁した不断水連絡状態で、前記不断水ＳＴ短管と前記仮設止水栓間の老朽した管を更新することを特徴とする配水管の布設工法である。
【００１４】
請求項６に記載の発明は、隣接する前工区の配水管の終点部に請求項１乃至請求項４のいずれか１項に記載の第１の不断水ＳＴ短管を断水状態で設置し、反対側の既設管連絡部に請求項１乃至請求項４のいずれか１項に記載の第２の不断水ＳＴ短管を断水状態で設置し、前記第１の不断水ＳＴ短管及び前記第２の不断水ＳＴ短管の仕切弁着脱部に仕切弁を取り付け、止水弁着脱部に止水弁を取り付け、布設替に用いる仮配管を、前記第１の不断水ＳＴ短管の止水弁と、前記第２の不断水ＳＴ短管の止水弁と間に接続して連通し、不断水状態とし、前記第１の不断水ＳＴ短管の仕切弁を閉弁し、前記第２の不断水ＳＴ短管の仕切弁を閉弁し、前記第１の不断水ＳＴ短管の止水弁を開弁し、前記第２の不断水ＳＴ短管の止水弁を開弁して不断水連絡状態で、前記第１の不断水ＳＴ短管と前記第２の不断水ＳＴ短管間の老朽した管を更新することを特徴とする配水管の布設工法である。
【００１５】
請求項７に記載の発明は、漏水状態の配水管の上流側に設置した請求項１乃至請求項４のいずれか１項に記載の不断水ＳＴ短管を用い、前記不断水ＳＴ短管の仕切弁着脱部に仕切弁を取り付け、前記仕切弁を閉弁して断水し、前記漏水の配水管の補修または交換することを特徴とする配水管の布設工法である。
【００１６】
請求項８に記載の発明は、新規に配管を延長する配水管の既設管連絡終点部に請求項１乃至請求項４のいずれか１項に記載の不断水ＳＴ短管を設置しておき次期工事で、前記不断水ＳＴ短管の仕切弁着脱部に仕切弁を取り付け、前記仕切弁を閉弁し、新規布設管と既設管連絡を前記不断水ＳＴ短管により不断水状態で施工とすることを特徴とする配水管の布設工法である。
【発明の効果】
【００１７】
前記構成により、この発明は、以下のような効果を有する。
【００１８】
請求項１乃至請求項８に記載の発明では、配水管の布設工事に使用でき、管体を流れる流体を遮断する着脱可能な仕切弁と、仮配管への分岐を可能にする止水弁とを備えることで、割Ｔ字管、既存分岐と仕切弁の代替として、不断水で仮配管への分岐配管機能を有し、製品点数を少なくし、簡単な作業により、断水回数を半減、断水範囲の低減、もしくは断水回避を可能とし、工事完成後に不要な仕切弁、分岐管・弁が設置されなく、突起部も小さく維持管理上の支障とならない。
【図面の簡単な説明】
【００１９】
【図１】施工前の不断水ＳＴ短管の平面図である。
【図２】施工前の不断水ＳＴ短管の側面図である。
【図３】施工時の不断水ＳＴ短管の平面図である。
【図４】施工時の不断水ＳＴ短管の仕切弁開状態の断面図である。
【図５】施工時の不断水ＳＴ短管の仕切弁閉状態の断面図である。
【図６】不断水ＳＴ短管の形態に構成することができる。
【図７】布設替工事の仮配管工事の既設管連絡として使用する例の配管概要図である。
【図８】布設替工事の仮配管工事の断水連絡として使用する例の配管概要図である
【図９】漏水事故等の維持管理で使用する例の配管概要図である。
【図１０】新規に配管を延長する終点部に設置する例の配管概要図である。
【発明を実施するための形態】
【００２０】
以下、この発明の不断水ＳＴ短管及び配水管の布設工法の実施の形態について説明する。この発明の実施の形態は、発明の最も好ましい形態を示すものであり、この発明はこれに限定されない。
【００２１】
［不断水ＳＴ短管の構成］
この実施の形態の不断水ＳＴ短管を、図１乃至図５に基づいて説明する。図１は施工前の不断水ＳＴ短管の平面図、図２は施工前の不断水ＳＴ短管の側面図、図３は施工時の不断水ＳＴ短管の平面図、図４は施工時の不断水ＳＴ短管の仕切弁開状態の断面図、図５は施工時の不断水ＳＴ短管の仕切弁閉状態の断面図である。
【００２２】
この実施の形態の不断水ＳＴ短管１は、配水管の布設工事に使用するものであり、管体２の両端に形成した配管接続部３，４と、仕切弁着脱部５と、止水弁着脱部６とを備える。仕切弁着脱部５には、蓋体７が着脱可能に取り付けられ、施工時には蓋体７を外して仕切弁着脱部５に仕切弁１０を取り付け、管体２内を流れる流体を遮断する。止水弁着脱部６には、蓋体８が着脱可能に取り付けられ、施工時には蓋体８を外して止水弁着脱部６に止水弁２０を取り付け、管体２内を流れる流体を分岐させる。
【００２３】
配管接続部３は、管体内径より大きな内径であり、配管接続部４は、管体内径と同形の内径である。配管接続部３は、一方の配管の接続部の外側に連結され、配管接続部４は、他方の配管の接続部の内側に連結される。
【００２４】
仕切弁１０は、ハウジング１０ａがボルト１０ｂにより仕切弁着脱部５に締め付け固定され、仕切弁１０は仕切弁着脱部５に着脱可能になっている。仕切弁１０のハウジング１０ａには、弁体１０ｃが配置され、この弁体１０ｃは駆動軸１０ｄの回転によって移動し、管体２の流路１１を開閉可能になっている。
【００２５】
止水弁２０は、ハウジング２０ａがボルト２０ｂにより止水弁着脱部６に締め付け固定され、止水弁２０は止水弁着脱部６に着脱可能になっている。止水弁２０によって管体２の分岐開口１２を開閉可能になっている。
【００２６】
配水管の布設工事が完了すると、仕切弁１０を取り外し、仕切弁着脱部５に蓋体７を取り付け、止水弁２０を取り外し、止水弁着脱部６に蓋体８を取り付け、不断水ＳＴ短管１に付属している部材を極力なくすようにしている。
【００２７】
（不断水ＳＴ短管の形態）
不断水ＳＴ短管１は、図６の形態に構成することができる。図６（ａ）の第１の形態は、図１乃至図５に示したものであり、図６（ｂ）の第２の形態は、第１の形態と同様に構成されるが、止水弁着脱部６が対称位置に配置され、図６（ｃ）の第３の形態も、第１の形態と同様に構成されるが、止水弁着脱部６が仕切弁着脱部５と並列に配置され、図６（ｄ）の第４の形態も、第１の形態と同様に構成され、さらに別の止水弁着脱部６が対称位置に配置される。
【００２８】
図６（ｅ）の第５の形態は、第１の形態と同様に構成されるが、配管接続部３は、管体内径と同形の内径であり、図６（ｆ）の第６の形態は、第２の形態と同様に構成されるが、配管接続部３は、管体内径と同形の内径であり、図６（ｇ）の第７の形態は、第３の形態と同様に構成されるが、配管接続部３は、管体内径と同形の内径であり、図６（ｈ）の第８の形態は、第４の形態と同様に構成されるが、配管接続部３は、管体内径と同形の内径である。第５の形態乃至第８の形態では、配管接続部３が管体内径と同形の内径であることで、不断水ＳＴ短管１が小型かつ軽量化される。
【００２９】
図６（ｉ）の第９の形態は、第１の形態と同様に構成されるが、配管接続部４は、配管接続部３の内径と同形の内径であり、図６（ｊ）の第１０の形態は、第２の形態と同様に構成されるが、配管接続部４は、配管接続部３の内径と同形の内径であり、図６（ｋ）の第１１の形態は、第３の形態と同様に構成されるが、配管接続部４は、配管接続部３の内径と同形の内径であり、図６（ｌ）の第１２の形態は、第４の形態と同様に構成されるが、配管接続部４は、配管接続部３の内径と同形の内径である。不断水ＳＴ短管１は、第１の形態乃至第１２の形態とすることで、種々の配管接続に対応することができる。
【００３０】
［配水管の布設工法］
次に、不断水ＳＴ短管１を用いた配水管の布設工法を、図７乃至図１０に基づいて説明する。
【００３１】
（布設替工事の仮配管工事の既設管連絡として使用）
図７は布設替工事の仮配管工事の既設管連絡として使用する例の配管概要図である。隣接する前工区の終点部の配水管３０に、不断水ＳＴ短管１を止水弁２０が上流側に、仕切弁１０が下流側になるようにして設置しておき次期工事で、反対側の既設の配水管３１の連絡部に上流側に仮設止水栓４０と下流側に仮設割Ｔ字管４１を配置する。
【００３２】
布設替に用いる仮配管５０の一端部を、第１の切替弁５１を介して不断水ＳＴ短管１の止水弁２０と接続し、他端部を、第２の切替弁５２を介して仮設割Ｔ字管４１と接続し、不断水ＳＴ短管１と仮設割Ｔ字管４１とを仮配管５０により連通し、配水管３０を不断水状態にする。
【００３３】
不断水ＳＴ短管１の止水弁２０を開弁し、さらに第１の切替弁５１、第２の切替弁５２を開弁し、不断水ＳＴ短管１の仕切弁１０と、仮設水止水４０とを閉弁して老朽した配水管３２を遮断することで、配水管３０からの水は、仮配管５０を介して既設の配水管３１に流れる。
【００３４】
このように、配水管３０からの水を、仮配管５０を介して既設の配水管３１に流し不断水連絡状態で、不断水ＳＴ短管１と仮設止水栓４０間の老朽した配水管３２を新しい配水管に更新する。
【００３５】
新しい配水管に更新した後は、配水管３０を不断水状態にして、不断水ＳＴ短管１の仕切弁１０及び止水弁２０を取り外し、仮配管５０を取り外し、さらに仮設止水栓４０及び仮設割Ｔ字管４１は断水状態で取り外し、布設替工事を完成する。もしくは、仮設止水栓４０を開弁にし、仮設割Ｔ字管４１を閉弁にして、これらを残置し次期工事で撤去する。このように、隣接する前工区の終点部に不断水ＳＴ短管１を設置し、布設替を予定する次期工事での不断水連絡工事が可能となる。
【００３６】
（布設替工事の仮配管工事の断水連絡として使用）
図８は布設替工事の仮配管工事の断水連絡として使用する例の配管概要図である。隣接する前工区の終点部の配水管３０に、第１の不断水ＳＴ短管１を止水弁２０が上流側に、仕切弁１０が下流側になるようにして断水状態で設置し、反対側の既設の配水管３１の連絡部に第２の不断水ＳＴ短管１を仕切弁１０が上流側に、止水弁２０が下流側になるようにして断水状態で設置する。
【００３７】
布設替に用いる仮配管５０の一端部を、第１の切替弁５１を介して第１の不断水ＳＴ短管１の止水弁２０と接続し、他端部を、第２の切替弁５２を介して第２の不断水ＳＴ短管１の止水弁２０と接続し、第１の不断水ＳＴ短管１と第２の不断水ＳＴ短管１とを仮配管５０により連通し、配水管３０を不断水状態にする。
【００３８】
第１の不断水ＳＴ短管１の止水弁２０を開弁し、さらに第１の切替弁５１、第２の切替弁５２を開弁し、第２の不断水ＳＴ短管１の止水弁２０を開弁し、第１の不断水ＳＴ短管１の仕切弁１０と、第２の不断水ＳＴ短管１の仕切弁１０とを閉弁して老朽した配水管３２を遮断することで、配水管３０からの水は、仮配管５０を介して既設の配水管３１に流れる。
【００３９】
このように、配水管３０からの水を、仮配管５０を介して既設の配水管３１に流し不断水連絡状態で、第１の不断水ＳＴ短管１と第２の不断水ＳＴ短管１間の老朽した配水管３２を新しい配水管に更新する。
【００４０】
新しい配水管に更新した後は、配水管３０を不断水状態にして、第１の不断水ＳＴ短管１の仕切弁１０及び止水弁２０を取り外し、第２の不断水ＳＴ短管１の仕切弁１０及び止水弁２０を取り外し、仮配管５０を取り外し、布設替工事を完成する。
【００４１】
（漏水事故等の維持管理での使用）
図９は漏水事故等の維持管理で使用する例の配管概要図である。上流側の既設仕切弁６０と下流側の既設仕切弁６１との間の配水管６２に漏水が生じると、漏水の配水管６２の上流側の不断水ＳＴ短管１の仕切弁１０で遮断し、漏水の配水管６２の補修または交換する布設替工事を行う。
【００４２】
（新規に配管を延長する終点部に設置する使用）
図１０は新規に配管を延長する終点部に設置する例の配管概要図である。新規に配水管を延長する既設配水管７０の連絡終点部に、不断水ＳＴ短管１を設置し、不断水ＳＴ短管１の仕切弁１０を閉弁して、既設配水管７０に不断水状態で、不断水ＳＴ短管１に新規布設管７２を接続し、この新規布設管７２の終点部に他の不断水ＳＴ短管１を接続し、新規布設管７２と既設管連絡を不断水ＳＴ短管１により不断水施工とする。不断水ＳＴ短管１の止水弁２０に接続したドレーン配管７１として分岐管が使用可能となる。
【産業上の利用可能性】
【００４３】
この発明は、不断水工法により配水管の接続を可能とする不断水ＳＴ短管及び配水管の布設工法に適用可能であり、製品点数を少なくし、簡単な作業により、断水回数を半減、断水範囲の低減、もしくは断水回避を可能とする。
【符号の説明】
【００４４】
１  不断水ＳＴ短管
２  管体
３，４  配管接続部
５  仕切弁着脱部
６  止水弁着脱部
７，８  蓋体
１０  仕切弁
１１  流路
１２  分岐開口
２０  止水弁
３０，３１，３２，６２  配水管
４０  仮設止水栓
４１  仮設割Ｔ字管
５０  仮配管
５１  第１の切替弁
５２  第２の切替弁
７０  既設配水管
７１  ドレーン配管
７２  新規布設管
【図１】
2013108250.tif 000003
【図２】
2013108250.tif 000004
【図３】
2013108250.tif 000005
【図４】
2013108250.tif 000006
【図５】
2013108250.tif 000007
【図６】
2013108250.tif 000008
【図７】
2013108250.tif 000009
【図８】
2013108250.tif 000010
【図９】
2013108250.tif 000011
【図１０】
2013108250.tif 000012